(57)【特許請求の範囲】
【請求項１】
右眼用画像と左眼用画像とを表示期間毎に表示する電気光学装置であって、
複数の走査線と複数の信号線との各交差に対応して配置された複数の画素と、
相互に隣合うＱ本（Ｑは２以上の自然数）ずつ前記複数の走査線を区分した第１組を順次に選択するとともに選択状態の第１組の何れかの走査線に対応する各画素の指定階調に応じた階調電位を前記各信号線に供給する第１同時選択駆動と、前記第１組とは相違する組合せで前記複数の走査線を相互に隣合うＱ本ずつ区分した第２組を順次に選択するとともに選択状態の第２組の何れかの走査線に対応する各画素の指定階調に応じた階調電位を前記各信号線に供給する第２同時選択駆動とを前記各表示期間にて実行する駆動回路と、
表示領域の内側に対応する第１走査線と表示領域の外側に対応する第２走査線とを含む第２組の選択時に、当該第２組のうち前記第１走査線に対応する各画素の指定階調に応じた階調電位が前記各信号線に供給されるように前記駆動回路を制御する表示制御回路と
を具備する電気光学装置。
【請求項２】
前記複数の走査線は、Ｋ本（Ｋは偶数）の前記第１走査線を含み、
前記駆動回路は、前記第１走査線と前記第２走査線との間を境界として前記複数の走査線を相互に隣合う２本ずつ区分した第１組を順次に選択するとともに選択状態の第１組のうち奇数行の走査線に対応する各画素について画像信号が指定する階調に応じた階調電位を前記各信号線に供給する前記第１同時選択駆動と、前記第１組に対して１行分ずれた組合せで前記複数の走査線を相互に隣合う２本ずつ区分した第２組を順次に選択するとともに選択状態の第２組のうち偶数行の走査線に対応する各画素について画像信号が指定する階調に応じた階調電位を前記各信号線に供給する前記第２同時選択駆動とを前記各表示期間内にて実行し、
前記表示制御回路は、前記Ｋ本の第１走査線のうち最初に選択される第１走査線に隣合う第２走査線に対応する各画素の指定階調として、当該第１走査線に対応する各画素の指定階調が指定されるように、各画素の階調を指定する画像信号を生成する
請求項１の電気光学装置。
【請求項３】
前記複数の走査線は、Ｋ本（Ｋは偶数）の前記第１走査線を含み、
前記駆動回路は、前記第１走査線と前記第２走査線との間を境界として前記複数の走査線を相互に隣合う２本ずつ区分した第１組を順次に選択するとともに選択状態の第１組のうち偶数行の走査線に対応する各画素について画像信号が指定する階調に応じた階調電位を前記各信号線に供給する前記第１同時選択駆動と、前記第１組に対して１行分ずれた組合せで前記複数の走査線を相互に隣合う２本ずつ区分した第２組を順次に選択するとともに選択状態の第２組のうち奇数行の走査線に対応する各画素について画像信号が指定する階調に応じた階調電位を前記各信号線に供給する前記第２同時選択駆動とを前記各表示期間内にて実行し、
前記表示制御回路は、前記Ｋ本の第１走査線のうち最後に選択される第１走査線に隣合う第２走査線に対応する各画素の指定階調として、当該第１走査線に対応する各画素の指定階調が指定されるように、各画素の階調を指定する画像信号を生成する
請求項１の電気光学装置。
【請求項４】
前記駆動回路は、
前記複数の走査線のうち奇数行および偶数行の一方の各走査線を順次に選択するとともに選択状態の走査線に対応する各画素の指定階調に応じた階調電位を前記各信号線に供給する第１間引選択駆動と、前記複数の走査線のうち奇数行および偶数行の他方の各走査線を順次に選択するとともに選択状態の走査線に対応する各画素の指定階調に応じた階調電位を前記各信号線に供給する第２間引駆動とを可能であり、
前記第１同時選択駆動および前記第２同時選択駆動の一方の実行後に前記第１間引駆動を実行し、前記第１同時選択駆動および前記第２同時選択駆動の他方の実行後に前記第２間引駆動を実行する
請求項２または請求項３の電気光学装置。
【請求項５】
請求項１から請求項４の何れかの電気光学装置を具備する電子機器。
【発明の詳細な説明】
【技術分野】
【０００１】
本発明は、観察者が立体感を知覚するように相互に視差が付与された右眼用画像と左眼用画像とを表示する技術に関する。
【背景技術】
【０００２】
右眼用画像と左眼用画像とを時分割で交互に表示するフレームシーケンシャル方式の立体視方法が従来から提案されている。例えば特許文献１に開示された技術では、液晶素子を含む複数の画素を利用して、図１８に示すように右眼用画像と左眼用画像とが表示期間Ｐ毎に交互に表示される。各表示期間Ｐは単位期間Ｕ1と単位期間Ｕ2とに区分される。
【０００３】
右眼用画像の表示期間Ｐ内の単位期間Ｕ1では表示画像が左眼用画像から右眼用画像に更新されるとともに直後の単位期間Ｕ2では右眼用画像が表示され、左眼用画像の表示期間Ｐ内の単位期間Ｕ1では表示画像が右眼用画像から左眼用画像に更新されるとともに直後の単位期間Ｕ2では左眼用画像が表示される。各表示期間Ｐの単位期間Ｕ1と単位期間Ｕ2とでは液晶素子に対する印加電圧が逆極性に設定される。各表示期間Ｐの単位期間Ｕ1では、右眼用シャッターおよび左眼用シャッターの双方が閉状態に制御される。したがって、右眼用画像と左眼用画像との混在（以下「クロストーク」という）は観察者に知覚されない。
【先行技術文献】
【特許文献】
【０００４】
【特許文献１】特開２００９−２５４３６号公報
【発明の概要】
【発明が解決しようとする課題】
【０００５】
しかし、特許文献１の技術のもとでは、単位期間Ｕ1および単位期間Ｕ2の各々にて各画素が１行毎に順次に選択されて指定階調に駆動されるから、右眼用シャッターおよび左眼用シャッターの双方が閉状態に維持される単位期間Ｕ1の時間長が長い。したがって、表示画像の明度を充分に確保することが困難であるという問題がある。以上の事情を考慮して、本発明は、右眼用画像と左眼用画像との混在が観察者に知覚されることを抑制しながら表示画像の明度を向上させることを目的とする。
【課題を解決するための手段】
【０００６】
以上の課題を解決するために、本発明の電気光学装置は、右眼用画像と左眼用画像とを表示期間毎に表示する電気光学装置であって、複数の走査線と複数の信号線との各交差に対応して配置された複数の画素と、相互に隣合うＱ本（Ｑは２以上の自然数）ずつ複数の走査線を区分した第１組を順次に選択するとともに選択状態の第１組の何れかの走査線に対応する各画素の指定階調に応じた階調電位を各信号線に供給する第１同時選択駆動と、第１組とは相違する組合せで複数の走査線を相互に隣合うＱ本ずつ区分した第２組を順次に選択するとともに選択状態の第２組の何れかの走査線に対応する各画素の指定階調に応じた階調電位を各信号線に供給する第２同時選択駆動とを各表示期間にて実行する駆動回路と、表示領域の内側に対応する第１走査線と表示領域の外側に対応する第２走査線とを含む第２組の選択時に、当該第２組のうち第１走査線に対応する各画素の指定階調に応じた階調電位が各信号線に供給されるように駆動回路を制御する表示制御回路とを具備する。以上の構成では、各表示期間内で走査線がＱ本ずつ順次に選択されて選択状態の各画素に階調電位が供給されるから、例えば各表示期間内で走査線を１本ずつ選択して各画素に階調電位を供給する構成と比較すると、右眼用画像と左眼用画像とが混在する期間の時間長が短縮される。したがって、観察者が視認する表示画像の明度を向上することが可能である。しかも、表示領域の内側に対応する第１走査線と表示領域の外側に対応する第２走査線とを含む第２組の選択時に、当該第２組のうち第１走査線に対応する各画素の指定階調に応じた階調電位が各信号線に供給される。すなわち、第１走査線と第２走査線とを同時に選択する場合には表示領域内の第１走査線に対応する各画素の指定階調に応じた階調電位が各画素に供給されるから、走査線をＱ本ずつ選択する構成にも関わらず、表示領域の外側の各画素の指定階調（例えば表示画像とは無関係の黒階調）が表示領域内に表示されることは回避されるという利点がある。
【０００７】
複数の走査線がＫ本（Ｋは偶数）の第１走査線を含み、第１走査線と第２走査線との間を境界として複数の走査線を相互に隣合う２本ずつ区分した第１組を順次に選択するとともに選択状態の第１組のうち奇数行の走査線に対応する各画素について画像信号が指定する階調に応じた階調電位を各信号線に供給する第１同時選択駆動と、第１組に対して１行分ずれた組合せで複数の走査線を相互に隣合う２本ずつ区分した第２組を順次に選択するとともに選択状態の第２組のうち偶数行の走査線に対応する各画素について画像信号が指定する階調に応じた階調電位を各信号線に供給する第２同時選択駆動とを駆動回路が各表示期間内にて実行する構成では、Ｋ本の第１走査線のうち最初に選択される第１走査線に対応する各画素について、表示領域の外側の指定階調に制御される問題が発生する可能性がある。そこで、Ｋ本の第１走査線のうち最初に選択される第１走査線に隣合う第２走査線に対応する各画素の指定階調として、当該第１走査線に対応する各画素の指定階調が指定されるように、表示制御回路が画像信号を生成する。以上の構成によれば、Ｋ本の第１走査線のうち最初に選択される第１走査線に対応する領域に表示領域の外側の指定階調が表示される問題を有効に解消できる。なお、以上の態様の具体例は例えば第１実施形態として後述される。
【０００８】
また、複数の走査線がＫ本（Ｋは偶数）の第１走査線を含み、第１走査線と第２走査線との間を境界として複数の走査線を相互に隣合う２本ずつ区分した第１組を順次に選択するとともに選択状態の第１組のうち偶数行の走査線に対応する各画素について画像信号が指定する階調に応じた階調電位を各信号線に供給する第１同時選択駆動と、第１組に対して１行分ずれた組合せで複数の走査線を相互に隣合う２本ずつ区分した第２組を順次に選択するとともに選択状態の第２組のうち奇数行の走査線に対応する各画素について画像信号が指定する階調に応じた階調電位を各信号線に供給する第２同時選択駆動とを駆動回路が各表示期間内にて実行する構成では、Ｋ本の第１走査線のうち最後に選択される第１走査線に対応する各画素について、表示領域の外側の指定階調に制御される問題が発生する可能性がある。そこで、Ｋ本の第１走査線のうち最後に選択される第１走査線に隣合う第２走査線に対応する各画素の指定階調として、当該第１走査線に対応する各画素の指定階調が指定されるように、表示制御回路が画像信号を生成する。以上の構成によれば、Ｋ本の第１走査線のうち最後に選択される第１走査線に対応する領域に表示領域の外側の指定階調が表示される問題を有効に解消できる。なお、以上の態様の具体例は例えば第２実施形態として後述される。
【０００９】
本発明の好適な態様において、駆動回路は、複数の走査線のうち奇数行および偶数行の一方の各走査線を順次に選択するとともに選択状態の走査線に対応する各画素の指定階調に応じた階調電位を各信号線に供給する第１間引選択駆動と、複数の走査線のうち奇数行および偶数行の他方の各走査線を順次に選択するとともに選択状態の走査線に対応する各画素の指定階調に応じた階調電位を各信号線に供給する第２間引駆動とを可能であり、第１同時選択駆動および第２同時選択駆動の一方の実行後に第１間引駆動を実行し、第１同時選択駆動および第２同時選択駆動の他方の実行後に第２間引駆動を実行する。以上の態様では、第１同時選択駆動または第２同時選択駆動による表示画像の解像度が、第１間引選択駆動または第２間引選択駆動により所期の解像度に変化する。したがって、各表示期間にて高精細な右眼用画像または左眼用画像を表示できるという利点がある。
【００１０】
以上の各態様に係る電気光学装置は表示体として各種の電子機器に採用される。例えば、以上の各態様に係る電気光学装置と、眼鏡制御回路が制御する立体視用眼鏡とを具備する立体視表示装置が、本発明の電子機器として例示される。
【図面の簡単な説明】
【００１１】
【図１】本発明の第１実施形態に係る立体視表示装置のブロック図である。
【図２】画素部の模式図である。
【図３】画素回路の回路図である。
【図４】処理回路のブロック図である。
【図５】立体視表示装置の動作の説明図である。
【図６】駆動回路の動作の説明図である。
【図７】対比例における画像データの説明図である。
【図８】対比例の問題点の説明図である。
【図９】第１実施形態における画像データの説明図である。
【図１０】第１処理部のブロック図である。
【図１１】第１処理部の動作の説明図である。
【図１２】第２実施形態における駆動回路の動作の説明図である。
【図１３】第３実施形態における第１処理部のブロック図である。
【図１４】第３実施形態における第１処理部の動作の説明図である。
【図１５】電子機器（投射型表示装置）の斜視図である。
【図１６】電子機器（パーソナルコンピュータ）の斜視図である。
【図１７】電子機器（携帯電話機）の斜視図である。
【図１８】背景技術における立体視表示の説明図である。
【発明を実施するための形態】
【００１２】
＜第１実施形態＞
図１は、本発明のひとつの実施形態に係る立体視表示装置１００のブロック図である。立体視表示装置１００は、観察者に立体感を知覚させる立体視画像をアクティブシャッター方式で表示する電子機器であり、電気光学装置１０と立体視用眼鏡２０とを具備する。電気光学装置１０は、相互に視差が付与された右眼用画像ＧRと左眼用画像ＧLとを時分割で交互に表示する。なお、以下の説明では、右眼用画像ＧRおよび左眼用画像ＧLを画像Ｇi（ｉ＝Ｒ,Ｌ）と包括的に表現する場合がある。
【００１３】
立体視用眼鏡２０は、電気光学装置１０が表示する立体視画像の視認時に観察者が装着する眼鏡型の器具であり、観察者の右眼の前方に位置する右眼用シャッター２２と左眼の前方に位置する左眼用シャッター２４とを具備する。右眼用シャッター２２および左眼用シャッター２４の各々は、照射光を透過させる開状態（透過状態）と照射光を遮断する閉状態（遮光状態）とに制御される。例えば印加電圧に応じて液晶の配向方向を変化させることで開状態および閉状態の一方から他方に変化する液晶シャッターが右眼用シャッター２２および左眼用シャッター２４として採用され得る。
【００１４】
図１の電気光学装置１０は、電気光学パネル１２と制御回路１４とを具備する。電気光学パネル１２は、複数の画素（画素回路）ＰIXが配列された画素部３０と、各画素ＰIXを駆動する駆動回路４０とを含む。画素部３０には、ｘ方向に延在する1088本の走査線３２と、ｘ方向に交差するｙ方向に延在する1920本の信号線３４とが形成される。画素部３０内の複数の画素ＰIXは、走査線３２と信号線３４との各交差に対応して行列状に配列される。なお、走査線３２や信号線３４の本数は任意に変更され得る。
【００１５】
図２に示すように、画素部３０は、表示領域Ａ1と周辺領域Ａ2とに区分される。表示領域Ａ1は、実際に画像表示に利用される領域（有効表示領域）であり、表示領域Ａ1の周囲に画定された周辺領域Ａ2は、画像表示に寄与しない領域（すなわち観察者が表示画像を視認できないダミー領域）である。例えば周辺領域Ａ2には遮光層が形成される。
【００１６】
画素部３０内の1088本の走査線３２のうち第５行から第1084行までの1080本の走査線３２が表示領域Ａ1に対応し、第１行から第４行までの４本の走査線３２と第1085行から第1088行までの４本の走査線３２とが周辺領域Ａ2に対応する。画素部３０のうち表示領域Ａ1内の走査線３２に対応する縦1080行×横1920列の各画素ＰIXが、表示領域Ａ1内に配置されて画像表示に有効に寄与する有効画素に相当し、画素部３０のうち周辺領域Ａ2内の走査線３２に対応する各画素ＰIX（第１行〜第４行，第1085行〜第1088行）が、実際には画像表示に寄与しないダミー画素に相当する。画素部３０内の任意の１列に着目すると、表示領域Ａ1内の1080個の有効画素ＰIXの配列の両側にダミー画素ＰIXが４個ずつ配列する。なお、表示領域Ａ1に対してｘ方向の正側および負側に位置するダミー画素ＰIXの説明は便宜的に省略する。
【００１７】
図３は、各画素ＰIX（有効画素およびダミー画素）の回路図である。図３に示すように、各画素ＰIXは、液晶素子ＣLと選択スイッチＳWとを含む。液晶素子ＣLは、相互に対向する画素電極６２および共通電極６４と両電極間の液晶６６とで構成された電気光学素子である。画素電極６２と共通電極６４との間の印加電圧に応じて液晶６６の透過率（表示階調）が変化する。選択スイッチＳWは、走査線３２にゲートが接続されたＮチャネル型の薄膜トランジスターで構成され、液晶素子ＣLと信号線３４との間に介在して両者の電気的な接続（導通／絶縁）を制御する。なお、液晶素子ＣLに並列に補助容量を接続した構成も採用され得る。
【００１８】
図１の制御回路１４は、電気光学パネル１２を制御する表示制御回路１４２と、立体視用眼鏡２０を制御する眼鏡制御回路１４４とを具備する。なお、表示制御回路１４２と眼鏡制御回路１４４とを単体の集積回路に搭載した構成のほか、表示制御回路１４２と眼鏡制御回路１４４とを別体の集積回路に分散した構成も採用され得る。表示制御回路１４２は、右眼用画像ＧRと左眼用画像ＧLとが時分割で交互に画素部３０に表示されるように駆動回路４０を制御する。例えば、第１実施形態の表示制御回路１４２は、画素部３０内の各画素ＰIXの階調を指定する画像信号ＶIDを生成する処理回路５０を含んで構成される。
【００１９】
図４は、処理回路５０のブロック図である。図４に示すように、処理回路５０は、第１処理部５２と第２処理部５４とを具備する。画像Ｇi（右眼用画像ＧR，左眼用画像ＧL）を示す画像データＤAが上位装置（例えばＣＰＵ等の外部装置や表示制御回路内の他の画像処理回路）から第１処理部５２に順次に供給される。第１処理部５２は、画像データＤAから画像データＤBを生成する。
【００２０】
第１処理部５２が生成する画像データＤBは、画素部３０内の複数（縦1088行×横1920列）の画素ＰIXの各々について階調ｄを指定する。図４には、画素部３０内の任意の１列分（1088個）の各画素ＰIXについて画像データＤBが指定する階調ｄ（ｄ[1]〜ｄ[1088]）が例示されている。画像データＤBのうち階調ｄ[5]〜ｄ[1084]は、表示領域Ａ1内の各画素（有効画素）ＰIXに指定される階調であり、画像データＤBのうち階調ｄ[1]〜ｄ[4]および階調ｄ[1085]〜ｄ[1088]は、周辺領域Ａ2内の各画素（ダミー画素）ＰIXに指定される階調である。図４の第２処理部５４は、画像データＤBからアナログの画像信号ＶIDを生成して駆動回路４０に供給する。
【００２１】
図１の駆動回路４０は、表示制御回路１４２（処理回路５０）から供給される画像信号ＶIDが各画素ＰIXに指定する階調ｄに応じた電圧を各画素ＰIXの液晶素子ＣLに印加する回路であり、走査線駆動回路４２と信号線駆動回路４４とを具備する。走査線駆動回路４２は、各走査線３２に対応する走査信号Ｙ[1]〜Ｙ[1088]の供給で各走査線３２を順次に選択する。走査信号Ｙ[m]（ｍ＝１〜1088）が所定の選択電位に設定される（すなわち第ｍ行の走査線３２が選択される）ことで、第ｍ行の各画素ＰIXにおける選択スイッチＳWが同時にオン状態に遷移する。信号線駆動回路４４は、走査線駆動回路４２による走査線３２の選択に同期して1920本の信号線３４の各々に画像信号ＶIDに応じた階調電位Ｘ[1]〜Ｘ[1920]を供給する。各画素ＰIX（液晶素子ＣL）は、走査線３２の選択時（選択スイッチＳWがオン状態に制御されたとき）における信号線３４の階調電位Ｘ[n]（ｎ〜１〜1920）に応じた階調を表示する。
【００２２】
図５は、電気光学装置１０の動作の説明図である。図５に示すように、電気光学装置１０の動作期間は、複数の表示期間Ｐi（右眼用表示期間ＰRおよび左眼用表示期間ＰL）に区分される。右眼用表示期間ＰRでは右眼用画像ＧRが画素部３０に表示され、左眼用表示期間ＰLでは左眼用画像ＧLが画素部３０に表示される。右眼用表示期間ＰRと左眼用表示期間ＰLとは時間軸上に交互に配列する。各表示期間Ｐi（ＰR，ＰL）は、相等しい時間長の４個の単位期間Ｕ（Ｕ1〜Ｕ4）に区分される。単位期間Ｕ2は単位期間Ｕ1に後続し、単位期間Ｕ3は単位期間Ｕ2に後続し、単位期間Ｕ4は単位期間Ｕ3に後続する。例えば各表示期間Ｐiの時間長は約１/１２０秒に設定され、各単位期間Ｕの時間長は約１/４８０秒に設定される。
【００２３】
駆動回路４０は、各画素ＰIXの液晶素子ＣLに対する印加電圧の極性を周期的に反転させる。液晶素子ＣLに対する印加電圧の極性（例えば所定電位に対する階調電位Ｘ[n]の極性）を単位期間Ｕの２個毎に反転させる構成が図５では例示されている。すなわち、液晶素子ＣLの印加電圧の極性は、各表示期間Ｐi内の単位期間Ｕ1および単位期間Ｕ2にて正極性（例えば画素電極６２の電位が共通電極６４の電位を上回る状態）に設定され、各表示期間Ｐi内の単位期間Ｕ3および単位期間Ｕ4にて負極性（例えば画素電極６２の電位が共通電極６４の電位を下回る状態）に設定される。
【００２４】
図６は、画素部３０内の任意の１列（1088個の画素ＰIX）に着目して走査線駆動回路４２による走査線３２の選択と信号線駆動回路４４による階調電位Ｘ[n]の供給とを説明する模式図である。以下では図５および図６を参照して、各表示期間Ｐi（ＰR，ＰL）内の単位期間Ｕ1〜Ｕ4の各々における駆動回路４０の動作を説明する。
【００２５】
（１）単位期間Ｕ1  
各表示期間Ｐi内の単位期間Ｕ1において、駆動回路４０は、図６に示すように、相互に隣合う２行毎に走査線３２を区分した複数の組（以下「第１組」という）の各々を選択期間Ｈ毎に順次に選択して各画素ＰIXに階調電位Ｘ[n]を供給する動作（以下「第１同時選択駆動」という）を実行する。第１組は、偶数行（第2k行）の１本の走査線３２と、その走査線３２に対してｙ方向の負側に隣合う奇数行（第(2k-1)行）の１本の走査線３２とで構成される。図５および図６から理解されるように、表示領域Ａ1の内側の走査線３２（例えば第５行の走査線３２）と表示領域Ａ1の外側の走査線３２（例えば第４行の走査線３２）との間をひとつの境界として第１組が画定されると換言することも可能である。
【００２６】
具体的には、走査線駆動回路４２は、図５に示すように、各表示期間Ｐi（ＰR，ＰL）内の単位期間Ｕ1のうち第ｋ番目の選択期間Ｈにて走査信号Ｙ[2k-1]および走査信号Ｙ[2k]を選択電位に設定することで第１組の２本の走査線３２を同時に選択する。例えば図５および図６に示すように、単位期間Ｕ1内の第１番目の選択期間Ｈでは第１行および第２行の２本の走査線３２が同時に選択され、単位期間Ｕ1内の第２番目の選択期間Ｈでは第３行および第４行の２本の走査線３２が同時に選択される。
【００２７】
各表示期間Ｐi内の単位期間Ｕ1において、処理回路５０の第２処理部５４は、画像データＤBのうち奇数行（第(2k-1)行）の各画素ＰIXの階調ｄ[2k-1]（ｄ[1]，ｄ[3]，ｄ[5]，……）を時系列に指定する画像信号ＶIDを信号線駆動回路４４に供給する。図６に示すように、各表示期間Ｐi（ＰR，ＰL）内の単位期間Ｕ1のうち第１組を構成する第(2k-1)行および第2k行の２本の走査線３２が選択される選択期間Ｈにおいて、信号線駆動回路４４は、画像信号ＶIDが第(2k-1)行の各画素ＰIXに指定する階調ｄ[2k-1]に応じた階調電位Ｘ[n]を各信号線３４に供給する。したがって、例えば単位期間Ｕ1内の第１番目の選択期間Ｈでは、階調ｄ[1]に応じた階調電位Ｘ[n]が第１行および第２行の各画素ＰIXに供給され、単位期間Ｕ1内の第２番目の選択期間Ｈでは、階調ｄ[3]に応じた階調電位Ｘ[n]が第３行および第４行の各画素ＰIXに供給される。以上に説明した第１同時選択駆動の結果、各表示期間Ｐi（ＰR，ＰL）内の単位期間Ｕ1の終点では、ｙ方向の解像度を半減させた画像Ｇiが画素部３０に表示される。
【００２８】
（２）単位期間Ｕ2  
各表示期間Ｐi内の単位期間Ｕ2において、駆動回路４０は、図６に示すように、偶数行の各走査線３２を選択期間Ｈ毎に順次に選択して各画素ＰIXに階調電位Ｘ[n]を供給する動作（以下「第１間引選択駆動」を実行する。すなわち、走査線３２が１本おきに選択される。奇数行の走査線３２は単位期間Ｕ2では選択されない。
【００２９】
具体的には、走査線駆動回路４２は、図５に示すように、各表示期間Ｐi（ＰR，ＰL）内の単位期間Ｕ2のうち第ｋ番目の選択期間Ｈにて走査信号Ｙ[2k]を選択電位に設定することで第2k行の１本の走査線３２を選択する。例えば図５および図６に示すように、単位期間Ｕ2内の第１番目の選択期間Ｈでは第２行の走査線３２が選択され、第２番目の選択期間Ｈでは第４行の走査線３２が選択される。
【００３０】
各表示期間Ｐi内の単位期間Ｕ2において、処理回路５０の第２処理部５４は、画像データＤBのうち偶数行（第2k行）の各画素ＰIXの階調ｄ[2k]（ｄ[2]，ｄ[4]，ｄ[6]，……）を時系列に指定する画像信号ＶIDを信号線駆動回路４４に供給する。図６に示すように、各表示期間Ｐi（ＰR，ＰL）内の単位期間Ｕ2のうち第2k行の１本の走査線３２が選択される選択期間Ｈにおいて、信号線駆動回路４４は、画像信号ＶIDが第2k行の各画素ＰIXに指定する階調ｄ[2k]に応じた階調電位Ｘ[n]を各信号線３４に供給する。したがって、例えば単位期間Ｕ2内の第１番目の選択期間Ｈでは、階調ｄ[2]に応じた階調電位Ｘ[n]が第２行の各画素ＰIXに供給され、単位期間Ｕ2内の第２番目の選択期間Ｈでは、階調ｄ[4]に応じた階調電位Ｘ[n]が第４行の各画素ＰIXに供給される。以上に説明した第１間引選択駆動の結果、単位期間Ｕ1の終点ではｙ方向に半分の解像度で表示されていた画像Ｇiが、単位期間Ｕ2の終点では所期の解像度（縦1080行×横1920列）の画像Ｇiに更新される。
【００３１】
（３）単位期間Ｕ3  
各表示期間Ｐi内の単位期間Ｕ3において、駆動回路４０は、図６に示すように、前述の第１組とは相違する組合せで走査線３２を相互に隣合う２行毎に区分した複数の組（以下「第２組」という）の各々を選択期間Ｈ毎に順次に選択して各画素ＰIXに階調電位Ｘ[n]を供給する動作（以下「第２同時選択駆動」という）を実行する。第２組は、偶数行（第2k行）の１本の走査線３２と、その走査線３２に対してｙ方向の正側に隣合う奇数行（第(2k+1)行）の１本の走査線３２とで構成される。すなわち、第１組と第２組とは、走査線３２の１本分だけｙ方向にずれた関係にある。第２組は、表示領域Ａ1の内側の走査線３２（例えば第５行の走査線３２）と表示領域Ａ1の外側の走査線３２（例えば第４行の走査線３２）との間を跨ぐように画定されると換言することも可能である。
【００３２】
具体的には、走査線駆動回路４２は、図５に示すように、各表示期間Ｐi（ＰR，ＰL）内の単位期間Ｕ3のうち第ｋ番目の選択期間Ｈにて走査信号Ｙ[2k]および走査信号Ｙ[2k+1]を選択電位に設定することで第２組の２本の走査線３２を同時に選択する。例えば図５および図６に示すように、単位期間Ｕ3内の第１番目の選択期間Ｈでは第２行および第３行の２本の走査線３２が同時に選択され、単位期間Ｕ3内の第２番目の選択期間Ｈでは第４行および第５行の２本の走査線３２が同時に選択される。
【００３３】
各表示期間Ｐi内の単位期間Ｕ3において、処理回路５０の第２処理部５４は、単位期間Ｕ2と同様に、画像データＤBのうち偶数行（第2k行）の各画素ＰIXの階調ｄ[2k]を時系列に指定する画像信号ＶIDを信号線駆動回路４４に供給する。図６に示すように、各表示期間Ｐi（ＰR，ＰL）内の単位期間Ｕ3のうち第２組を構成する第2k行および第(2k+1)行の２本の走査線３２が選択される選択期間Ｈにおいて、信号線駆動回路４４は、画像信号ＶIDが第2k行の各画素ＰIXに指定する階調ｄ[2k]に応じた階調電位Ｘ[n]を各信号線３４に供給する。したがって、例えば単位期間Ｕ3内の第１番目の選択期間Ｈでは、階調ｄ[2]に応じた階調電位Ｘ[n]が第２行および第３行の各画素ＰIXに供給され、単位期間Ｕ3内の第２番目の選択期間Ｈでは、階調ｄ[4]に応じた階調電位Ｘ[n]が第４行および第５行の各画素ＰIXに供給される。以上に説明した第２同時選択駆動の結果、各表示期間Ｐi（ＰR，ＰL）内の単位期間Ｕ3の終点では、単位期間Ｕ1と同様に、ｙ方向の解像度を半減させた画像Ｇiが画素部３０に表示される。
【００３４】
なお、以上の説明では単位期間Ｕ3にて第１行および第1088行を選択しない構成を便宜的に例示したが、単位期間Ｕ3内で第１行および第1088行の走査線３２を選択して指定階調（Ｄ[1]，Ｄ[1088]）に応じた階調電位Ｘ[n]を各画素ＰIXに供給することも可能である。
【００３５】
（４）単位期間Ｕ4  
各表示期間Ｐi内の単位期間Ｕ4において、駆動回路４０は、図６に示すように、奇数行の各走査線３２を選択期間Ｈ毎に順次に選択して各画素ＰIXに階調電位Ｘ[n]を供給する動作（以下「第２間引選択駆動」を実行する。すなわち、走査線３２が１本おきに選択される。偶数行の走査線３２は単位期間Ｕ2では選択されない。
【００３６】
具体的には、走査線駆動回路４２は、図５に示すように、各表示期間Ｐi（ＰR，ＰL）内の単位期間Ｕ4のうち第ｋ番目の選択期間Ｈにて走査信号Ｙ[2k-1]を選択電位に設定することで第(2k-1)行の１本の走査線３２を選択する。例えば図５および図６に示すように、単位期間Ｕ4内の第１番目の選択期間Ｈでは第１行の走査線３２が選択され、第２番目の選択期間Ｈでは第３行の走査線３２が選択される。
【００３７】
各表示期間Ｐi内の単位期間Ｕ4において、処理回路５０の第２処理部５４は、単位期間Ｕ1と同様に、画像データＤBのうち奇数行（第(2k-1)行）の各画素ＰIXの階調ｄ[2k-1]を時系列に指定する画像信号ＶIDを信号線駆動回路４４に供給する。図６に示すように、各表示期間Ｐi（ＰR，ＰL）内の単位期間Ｕ4のうち第(2k-1)行の１本の走査線３２が選択される選択期間Ｈにおいて、信号線駆動回路４４は、画像信号ＶIDが第(2k-1)行の各画素ＰIXに指定する階調ｄ[2k-1]に応じた階調電位Ｘ[n]を各信号線３４に供給する。したがって、例えば単位期間Ｕ4内の第１番目の選択期間Ｈでは、階調ｄ[1]に応じた階調電位Ｘ[n]が第１行の各画素ＰIXに供給され、単位期間Ｕ4内の第２番目の選択期間Ｈでは、階調ｄ[3]に応じた階調電位Ｘ[n]が第３行の各画素ＰIXに供給される。以上に説明した第２間引選択駆動の結果、単位期間Ｕ3の終点ではｙ方向に半分の解像度で表示されていた画像Ｇiが、単位期間Ｕ4の終点では所期の解像度（縦1080行×横1920列）の画像Ｇiに更新される。以上が各単位期間Ｕにおける駆動回路４０の動作である。
【００３８】
以上の動作に適用される画像データＤBについて詳述する。まず、第１実施形態との対比として図７の画像データＤB'を想定する。図７の画像データＤB'では、周辺領域Ａ2内の各画素（ダミー画素）ＰIXに対応する階調ｄ[1]〜ｄ[4]および階調ｄ[1085]〜ｄ[1088]が所定の階調値Ｃ0に設定される。階調値Ｃ0は、表示領域Ａ1内に表示される画像Ｇiとは無関係に固定的に設定された階調値である。階調値Ｃ0の典型例は黒色（最低階調）である。他方、画像データＤB'のうち表示領域Ａ1内の各画素ＰIXに対応する階調ｄ[5]〜ｄ[1084]は、画像Ｇi（右眼用画像ＧRまたは左眼用画像ＧL）を示す画像データＤAが指定する階調値に設定される。
【００３９】
各表示期間Ｐi内の単位期間Ｕ3では、前述の通り、第2k行および第(2k+1)行で構成される第２組の走査線３２が順次に選択されるとともに第2k行（偶数行）の階調ｄ[2k]に応じた階調電位Ｘ[n]が選択状態の２行分の各画素ＰIXに供給される。したがって、図７に示すように、第２組を構成する第４行および第５行の各画素ＰIXには、第４行の画素ＰIXの階調ｄ[4]に応じた階調電位Ｘ[n]が供給される。第４行の画素ＰIXは表示領域Ａ1の外側（周辺領域Ａ2内）に位置するダミー画素であるから、画像データＤB'が第４行の各画素ＰIXに指定する階調ｄ[4]は所定の階調値Ｃ0に設定される。他方、第５行の各画素ＰIXは、表示領域Ａ1の内側に位置する有効画素である。すなわち、図７の画像データＤB'を使用した場合、図７に矢印αで示す通り、表示領域Ａ1内に位置する第５行の画素ＰIXの表示階調が、周辺領域Ａ2内の画素ＰIXと同様に階調値Ｃ0に制御される。したがって、単位期間Ｕ3では、図８に示すように、表示領域Ａ1内に位置する第５行（表示領域Ａ1内ではｙ方向の先頭行）の全部の画素ＰIXが、画像Ｇiとは無関係の階調値Ｃ0に設定される。すなわち、表示領域Ａ1内の最上部にて表示領域Ａ1の全幅にわたりｘ方向に延在する階調値Ｃ0の横線Ｂが観察者に視認されるという問題がある。
【００４０】
以上の事情を考慮して、第１実施形態の第１処理部５２は、図９の画像データＤBを生成する。図９の画像データＤBでは、図７の画像データＤB'と同様に、周辺領域Ａ2内の各画素ＰIXに対応する階調ｄ[1]〜ｄ[3]および階調ｄ[1086]〜ｄ[1088]が所定の階調値Ｃ0（例えば黒階調）に設定され、表示領域Ａ1内の各画素ＰIXに対応する階調ｄ[5]〜ｄ[1084]は画像Ｇiが指定する階調値に設定される。他方、図９の画像データＤBでは、周辺領域Ａ2内で表示領域Ａ1に隣接する第４行の各画素ＰIXの階調ｄ[4]が、表示領域Ａ1内で隣合う第５行の各画素ＰIXの階調ｄ[5]と同じ階調値（すなわち画像Ｇiに応じた階調値）に設定される。同様に、表示領域Ａ1に隣接する第1085行の各画素ＰIXの階調ｄ[1085]は、表示領域Ａ1内で隣合う第1084行の画素ＰIXの階調ｄ[1084]と同じ階調値に設定される。
【００４１】
各表示期間Ｐiの単位期間Ｕ3では、図９に示すように、階調ｄ[5]と共通の階調値に設定された階調ｄ[4]が第４行および第５行の各画素ＰIXに供給される。すなわち、表示領域Ａ1の内側に位置する第５行の画素（有効画素）ＰIXの表示階調は、所定の階調値Ｃ0ではなく、画像Ｇiに応じた階調値に設定される。したがって、図８を参照して説明した表示領域Ａ1内の階調値Ｃ0の横線Ｂの発生を回避できるという利点がある。
【００４２】
図１０は、以上に説明した図９の画像データＤBを生成する第１処理部５２のブロック図である。なお、以下の説明では、画素部３０内の任意の１列に着目するが、実際には画素部３０内の列毎に同様の処理が実行される。図１０に示すように、上位装置から供給される画像データＤAは、表示領域Ａ1内の1080行分の各素ＰIXの階調ｄ[5]〜ｄ[1084]を指定する（図４参照）。
【００４３】
図１０に示すように、第１処理部５２は、記憶部５２２と記憶部５２４と画像処理部５２６とを含んで構成される。記憶部５２２は、第１処理部５２に供給される画像データＤAの階調ｄ[5]〜ｄ[1084]を記憶するとともに画像データＤA_1として画像処理部５２６に出力する。また、記憶部５２４は、記憶部５２２から出力される画像データＤA_1（階調ｄ[5]〜ｄ[1084]）を記憶するとともに画像データＤA_2として画像処理部５２６に出力する。記憶部５２２および記憶部５２４は、画像データＤAを１行分だけ遅延させる遅延素子（ラッチ回路で構成されるラインメモリ）として機能する。したがって、図１１に示すように、上位装置から供給される画像データＤAと、画像データＤAを１行分だけ遅延させた画像データＤA_1と、画像データＤA_1を１行分だけ遅延させた画像データＤA_2とが画像処理部５２６に供給される。
【００４４】
図１０の画像処理部５２６は、画像データＤAと画像データＤA_1と画像データＤA_2とを利用して画像データＤBを生成する。第１に、画像処理部５２６は、図１１に示すように、記憶部５２２から供給される画像データＤA_1の階調ｄ[5]〜ｄ[1084]を画像データＤBの階調ｄ[5]〜ｄ[1084]として選択する。第２に、画像処理部５２６は、上位装置から供給される画像データＤAの先頭の階調ｄ[5]を画像データＤBの階調ｄ[4]として選択し、記憶部５２４から供給される画像データＤA_2の末尾の階調ｄ[1084]を画像データＤBの階調ｄ[1085]として選択する。すなわち、画像データＤBのうち周辺領域Ａ2内で表示領域Ａ1に隣合う第４行の各画素ＰIXに対応する階調ｄ[4]は第５行の画素ＰIXの階調ｄ[5]と同等の階調値（すなわち画像Ｇiに応じた階調値）に設定され、周辺領域Ａ2内の画素ＰIXの階調ｄ[1085]は表示領域Ａ1内の画素ＰIXの階調ｄ[1084]と同等の階調値に設定される。第３に、第１処理部５２は、画像データＤBの階調ｄ[1]〜ｄ[3]と階調ｄ[1086]〜ｄ[1088]を所定の階調値Ｃ0に設定する。第１処理部５２が画像データＤAから画像データＤBを生成する構成および手順は以上の通りである。
【００４５】
図１の制御回路１４の眼鏡制御回路１４４は、立体視用眼鏡２０の右眼用シャッター２２および左眼用シャッター２４の各々の状態（開状態／閉状態）を電気光学パネル１２の動作に同期して制御する。具体的には、眼鏡制御回路１４４は、図５に示すように、各表示期間Ｐ（ＰR，ＰL）内の単位期間Ｕ1にて右眼用シャッター２２および左眼用シャッター２４の双方を閉状態に維持する。また、眼鏡制御回路１４４は、右眼用表示期間ＰR内の単位期間Ｕ1以外の期間（単位期間Ｕ2の始点から単位期間Ｕ4の終点まで）にて右眼用シャッター２２を開状態に維持するとともに左眼用シャッター２４を閉状態に維持し、左眼用表示期間ＰL内の単位期間Ｕ1以外の期間にて左眼用シャッター２４を開状態に維持するとともに右眼用シャッター２２を閉状態に維持する。
【００４６】
したがって、右眼用表示期間ＰR内の単位期間Ｕ2から単位期間Ｕ4で画素部３０の表示領域Ａ1に表示される右眼用画像ＧRは右眼用シャッター２２を透過して観察者の右眼に到達するとともに左眼用シャッター２４で遮断される。他方、左眼用表示期間ＰL内の単位期間Ｕ2から単位期間Ｕ4で画素部３０の表示領域Ａ1に表示される左眼用画像ＧLは左眼用シャッター２４を透過して観察者の左眼に到達するとともに右眼用シャッター２２で遮断される。右眼用シャッター２２を透過した右眼用画像ＧRを右眼で視認するとともに左眼用シャッター２４を透過した左眼用画像ＧLを左眼で視認することで、観察者は表示画像に立体感を知覚する。
【００４７】
右眼用表示期間ＰR内の単位期間Ｕ1では、直前の左眼用表示期間ＰL（単位期間Ｕ4）で表示された左眼用画像ＧLが２行毎に順次に右眼用画像ＧRに更新され、左眼用表示期間ＰLの単位期間Ｕ1では、直前の右眼用表示期間ＰR（単位期間Ｕ4）で表示された右眼用画像ＧRが２行毎に順次に左眼用画像ＧLに更新される。すなわち、各表示期間Ｐ内の単位期間Ｕ1では右眼用画像ＧRと左眼用画像ＧLとが混在する。本実施形態では、各表示期間Ｐの単位期間Ｕ1では右眼用シャッター２２および左眼用シャッター２４の双方が閉状態に維持されるから、右眼用画像ＧRと左眼用画像ＧLとのクロストークは観察者に知覚されない。すなわち、右眼用画像ＧRと左眼用画像ＧLとが確実に右眼および左眼に分離されるから、観察者に明確な立体感を知覚させることが可能である。
【００４８】
以上に説明した第１実施形態では、各表示期間Ｐi内の単位期間Ｕ1にて走査線３２を２本ずつ選択して各画素ＰIXに階調電位Ｘ[n]を供給する。したがって、各表示期間Ｐiの単位期間Ｕ1にて走査線３２を１本ずつ選択する構成と比較すると、右眼用画像ＧRと左眼用画像ＧLとが混在する期間（クロストークの防止のために右眼用シャッター２２および左眼用シャッター２４の双方を閉状態に維持する単位期間Ｕ1）の時間長が短縮される。すなわち、表示期間Ｐiのうち右眼用シャッター２２または左眼用シャッター２４を開状態に維持できる時間長が充分に確保される。したがって、観察者が認識する表示画像の明度を向上することが可能である。
【００４９】
＜第２実施形態＞
本発明の第２実施形態を以下に説明する。なお、以下に例示する各形態において作用や機能が第１実施形態と同等である要素については、以上の説明で参照した符号を流用して各々の詳細な説明を適宜に省略する。
【００５０】
図１２は、第２実施形態における駆動回路４０の動作の説明図である。図１２に示すように、第２実施形態の駆動回路４０は、各単位期間Ｕ内で階調電位Ｘ[n]に反映される階調ｄの奇偶が第１実施形態（図６）とは逆転する。処理回路５０の第２処理部５４は、画像データＤBのうち偶数行の各画素ＰIXの階調ｄ[2k]を指定する画像信号ＶIDを各表示期間Ｐi内の単位期間Ｕ1および単位期間Ｕ4にて駆動回路４０に供給し、画像データＤBのうち奇数行の各画素ＰIXの階調ｄ[2k-1]を指定する画像信号ＶIDを各表示期間Ｐi内の単位期間Ｕ2および単位期間Ｕ3にて駆動回路４０に供給する。画像データＤBの内容は第１実施形態と同様である。
【００５１】
各表示期間Ｐi内の単位期間Ｕ1において、駆動回路４０は、第(2k-1)行および第2k行で構成される第１組を選択期間Ｈ毎に順次に選択するとともに、選択状態の第１組のうち偶数行（第2k行）に対応する各画素ＰIXについて画像信号ＶIDが指定する階調ｄ[2k]（ｄ[2]，ｄ[4]，ｄ[6]，……）に応じた階調電位Ｘ[n]を各画素ＰIXに供給する。また、各表示期間Ｐi内の単位期間Ｕ2において、駆動回路４０は、奇数行（第(2k-1)行）の走査線３２を選択期間Ｈ毎に順次に選択するとともに、選択状態の走査線３２に対応する奇数行の各画素ＰIXについて画像信号ＶIDが指定する階調ｄ[2k-1]（ｄ[1]，ｄ[3]，ｄ[5]，……）に応じた階調電位Ｘ[n]を各画素ＰIXに供給する。
【００５２】
他方、各表示期間Ｐi内の単位期間Ｕ3において、駆動回路４０は、第2k行および第(2k+1)行で構成される第２組を選択期間Ｈ毎に順次に選択するとともに、選択状態の第２組のうち奇数行（第(2k+1)行）に対応する各画素ＰIXについて画像信号ＶIDが指定する階調ｄ[2k+1]（ｄ[3]，ｄ[5]，ｄ[7]，……）に応じた階調電位Ｘ[n]を各画素ＰIXに供給する。また、各表示期間Ｐi内の単位期間Ｕ4において、駆動回路４０は、偶数行（第2k行）の走査線３２を選択期間Ｈ毎に順次に選択するとともに、選択状態の走査線３２に対応する偶数行の各画素ＰIXについて画像信号ＶIDが指定する階調ｄ[2k]（ｄ[2]，ｄ[4]，ｄ[6]，……）に応じた階調電位Ｘ[n]を各画素ＰIXに供給する。
【００５３】
以上の説明から理解されるように、第２実施形態では、単位期間Ｕ3のうち第1084行と第1085行とを含む第２組が選択される選択期間Ｈにおいて、表示領域Ａ1内の第1084行の各画素ＰIXと周辺領域Ａ2内の第1085行の各画素ＰIXとに対して第1085行の画素ＰIX（周辺領域Ａ2内のダミー画素）の階調ｄ[1085]に応じた階調電位Ｘ[n]が供給される。したがって、図７の画像データＤB'を適用した場合、表示領域Ａ1内の第1084行の各画素ＰIXの表示階調が画像Ｇiとは無関係の階調値Ｃ0に設定される。すなわち、各単位期間Ｕ3では、表示領域Ａ1の最下部に階調値Ｃ0の横線Ｂが表示される。
【００５４】
図９の画像データＤBでは、図１１からも把握される通り、周辺領域Ａ2内で表示領域Ａ1に隣接する第1085行の各画素ＰIXの階調ｄ[1085]が、表示領域Ａ1内で隣合う第1084行の各画素ＰIXの階調ｄ[1084]と同じ階調値（すなわち画像Ｇiに応じた階調値）に設定される。したがって、第１実施形態と同様に、図７の画像データＤB'を使用した場合に表示領域Ａ1内の第1084行に表示される横線Ｂの発生を回避できるという利点がある。
【００５５】
以上の説明から理解されるように、第１実施形態のもとで表示領域Ａ1内の横線Ｂの発生を回避するためには、表示領域Ａ1内で最初に選択される第５行の走査線３２に隣合う周辺領域Ａ2内の走査線３２（第４行）の各画素ＰIXの階調ｄ[4]を、第５行の各画素ＰIXの階調ｄ[5]と同じ階調値に設定することが必要である。他方、第２実施形態のもとで表示領域Ａ1内の横線Ｂの発生を回避するためには、表示領域Ａ1内で最後に選択される第1084行の走査線３２に隣合う周辺領域Ａ2内の走査線３２（第1085行）の各画素ＰIXの階調ｄ[1085]を、第1084行の各画素ＰIXの階調ｄ[1084]と同じ階調値に設定することが必要である。
【００５６】
＜第３実施形態＞
第１同時選択駆動および第２同時選択駆動において選択期間Ｈ毎に同時に選択する走査線３２の本数Ｑ（Ｑは２以上の自然数）は任意である。すなわち、第１同時選択駆動で選択する第１組および第２同時選択駆動で選択する第２組を３本以上の走査線３２で構成することも可能である。
【００５７】
例えば５本の走査線３２を同時に選択する構成では、第１行から第５行までの５本の走査線３２を同時に選択した状態で、周辺領域Ａ2内の第１行に対応する各画素ＰIXの階調ｄ[1]が各信号線３４に供給される。したがって、画像データＤBのうち周辺領域Ａ2内の階調ｄ[1]〜ｄ[4]を表示領域Ａ1内の階調ｄ[5]と同じ階調値に設定し、または、画像データＤBのうち周辺領域Ａ2内の階調ｄ[1085]〜ｄ[1088]を表示領域Ａ1内の階調ｄ[1084]と同じ階調値に設定する必要がある。
【００５８】
図１３は、第１同時選択駆動および第２同時選択駆動において５本の走査線３２を同時に選択する場合（Ｑ＝５）に好適に採用される第１処理部５２のブロック図である。図１３に示すように、第３実施形態の第１処理部５２は、４個の記憶部５２２[1]〜５２２[4]と４個の記憶部５２４[1]〜５２４[4]と画像処理部５２６とを含んで構成される。図１４は、第１処理部５２の動作の説明図である。
【００５９】
記憶部５２２[1]は、上位装置から供給される画像データＤAを１行分だけ遅延させた画像データＤA_1[1]を出力する。記憶部５２２[k]（ｋ＝２,３,４）は、図１４に示すように、前段の記憶部５２２[k-1]から出力される画像データＤA_1[k-1]を１行分だけ遅延させた画像データＤA_1[k]を出力する。他方、記憶部５２４[1]は、記憶部５２２[4]から出力される画像データＤA_1[4]を１行分だけ遅延させた画像データＤA_2[1]を出力する。記憶部５２４[k]は、図１４に示すように、前段の記憶部５２４[k-1]から出力される画像データＤA_2[k-1]を１行分だけ遅延させた画像データＤA_2[k]を出力する。
【００６０】
画像処理部５２６は、図１４に示すように、記憶部５２２[4]から供給される画像データＤA_1[4]の階調ｄ[5]〜ｄ[1084]を画像データＤBの階調ｄ[5]〜ｄ[1084]として選択する。また、画像処理部５２６は、画像データＤAおよび画像データＤA_1[1]〜ＤA_1[3]の各々の先頭の階調ｄ[5]を画像データＤBの階調ｄ[1]〜ｄ[4]として選択し、画像データＤA_2[1]〜ＤA_2[4]の各々の末尾の階調ｄ[1084]を画像データＤBの階調ｄ[1085]〜ｄ[1088]として選択する。したがって、周辺領域Ａ2内の階調ｄ[1]〜ｄ[4]が表示領域Ａ1内の階調ｄ[5]と同じ階調値に設定され、周辺領域Ａ2内の階調ｄ[1085]〜ｄ[1088]が表示領域Ａ1内の階調ｄ[1084]と同じ階調値に設定された画像データＤBが生成される。
【００６１】
＜変形例＞
以上の形態は多様に変形され得る。具体的な変形の態様を以下に例示する。以下の例示から任意に選択された２以上の態様は、相互に矛盾しない範囲内で適宜に併合され得る。
【００６２】
（１）前述の各形態では、第１組を順次に選択する第１同時選択駆動を単位期間Ｕ1にて実行し、第２組を順次に選択する第２同時選択駆動を単位期間Ｕ3にて実行する場合を例示したが、第１同時選択駆動および第２同時選択駆動の順序は変更され得る。例えば、各表示期間Ｐi内の単位期間Ｕ1にて第２同時選択駆動を実行するとともに単位期間Ｕ3にて第１同時選択駆動を実行することも可能である。単位期間Ｕ1または単位期間Ｕ3にて奇数行の階調ｄ[2k-1]に応じた階調電位Ｘ[n]を生成した場合には直後の単位期間Ｕ（Ｕ2，Ｕ4）にて偶数行の階調ｄ[2k]に応じた階調電位Ｘ[n]が偶数行の各画素ＰIXに供給され、単位期間Ｕ1または単位期間Ｕ3にて偶数行の階調ｄ[2k]に応じた階調電位Ｘ[n]を生成した場合には直後の単位期間Ｕ（Ｕ2，Ｕ4）にて奇数行の階調ｄ[2k-1]に応じた階調電位Ｘ[n]が奇数行の各画素ＰIXに供給される。
【００６３】
（２）第１間引選択駆動および第２間引選択駆動は省略され得る。すなわち、各表示期間Ｐi内で第１同時選択駆動および第２同時選択駆動のみを実行する（両駆動の順序は任意）ことも可能である。なお、第１同時選択駆動および第２同時選択駆動の各々では、画像データＤAが示す本来の解像度を半減させた画像が表示される。しかし、第１同時選択駆動で選択される第１組と第２同時選択駆動で選択される第２組とは１行分だけずれた関係にあるから、表示期間Ｐi内における解像度の低下は観察者に知覚され難い。以上の説明から理解されるように、各表示期間Ｐi内の単位期間Ｕの個数は任意である。
【００６４】
（３）前述の各形態では、右眼用表示期間ＰRの単位期間Ｕ1の終点にて右眼用シャッター２２を閉状態から開状態に変化させたが、右眼用シャッター２２を閉状態から開状態に変化させる時期は適宜に変更される。例えば、右眼用表示期間ＰRの単位期間Ｕ1の終点以前に右眼用シャッター２２を開状態に変化させる構成では、単位期間Ｕ1内でのクロストークが観察者に若干は知覚されるが、表示画像の明度を向上させることが可能である。他方、右眼用表示期間ＰRの単位期間Ｕ1の終点以降の時点で右眼用シャッター２２を開状態に変化させる構成では、表示画像の明度は低下するが、観察者にクロストークが知覚されることを有効に防止することが可能である。同様に、右眼用シャッター２２を開状態から閉状態に変化させる時期を、右眼用表示期間ＰRの単位期間Ｕ4の終点の前後に設定した構成も採用され得る。なお、観察者にクロストークが知覚され難い開閉の時期は、右眼用シャッター２２および左眼用シャッター２４の応答特性と電気光学パネル１２（液晶素子ＣL）の応答特性との関係にも依存する。したがって、右眼用シャッター２２の開閉の時期は、クロストークの防止と表示画像の明度の確保との優先度や、立体視用眼鏡２０の応答特性と電気光学パネル１２の応答特性との関係といった種々の要因を考慮して選定される。なお、以上の説明では右眼用シャッター２２に言及したが、左眼用シャッター２４の開閉の時期についても同様である。
【００６５】
以上の説明から理解されるように、右眼用シャッター２２が開状態に維持される期間は、右眼用表示期間ＰRのうち単位期間Ｕ1以外の期間（単位期間Ｕ2から単位期間Ｕ4）の少なくとも一部を含む期間（直前の単位期間Ｕ1の末尾の一部を含むか否かは不問）として包括される。同様に、左眼用シャッター２４が開状態に維持される期間は、左眼用表示期間ＰLのうち単位期間Ｕ1以外の期間の少なくとも一部を含む期間（直前の単位期間Ｕ1の末尾の一部を含むか否かは不問）として包括される。また、右眼用シャッター２２および左眼用シャッター２４の双方が閉状態に制御される期間は、各表示期間Ｐ（ＰR，ＰL）のうち単位期間Ｕ1の少なくとも一部を含む期間（直後の単位期間Ｕ2の先頭の一部を含むか否かは不問）として包括される。
【００６６】
（４）電気光学素子（表示素子）は液晶素子ＣLに限定されない。例えば、電気泳動素子を電気光学素子として利用することも可能である。すなわち、電位光学素子は、電気的な作用（例えば電圧の印加）に応じて光学的な特性（例えば透過率）が変化する表示素子として包括される。
【００６７】
＜応用例＞
以上の各形態に例示した電気光学装置１０は、各種の電子機器に利用され得る。図１５から図１７には、電気光学装置１０を採用した電子機器の具体的な形態が例示されている。
【００６８】
図１５は、電気光学装置１０を適用した投射型表示装置（３板式のプロジェクター）４０００の模式図である。投射型表示装置４０００は、相異なる表示色（赤色，緑色，青色）に対応する３個の電気光学装置１０（１０R，１０G，１０B）を含んで構成される。照明光学系４００１は、照明装置（光源）４００２からの出射光のうち赤色成分ｒを電気光学装置１０Rに供給し、緑色成分ｇを電気光学装置１０Gに供給し、青色成分ｂを電気光学装置１０Bに供給する。各電気光学装置１０は、照明光学系４００１から供給される各単色光を表示画像に応じて変調する光変調器（ライトバルブ）として機能する。投射光学系４００３は、各電気光学装置１０からの出射光を合成して投射面４００４に投射する。観察者は、投射面４００４に投射された立体視画像を立体視用眼鏡２０（図１５では図示略）で視認する。
【００６９】
図１６は、電気光学装置１０を採用した可搬型のパーソナルコンピューターの斜視図である。パーソナルコンピューター２０００は、各種の画像を表示する電気光学装置１０と、電源スイッチ２００１やキーボード２００２が設置された本体部２０１０とを具備する。
【００７０】
図１７は、電気光学装置１０を適用した携帯電話機の斜視図である。携帯電話機３０００は、複数の操作ボタン３００１およびスクロールボタン３００２と、各種の画像を表示する電気光学装置１０とを備える。スクロールボタン３００２を操作することによって、電気光学装置１０に表示される画面がスクロールされる。
【００７１】
なお、本発明に係る電気光学装置が適用される電子機器としては、図１５から図１７に例示した機器のほか、携帯情報端末（ＰＤＡ：Personal Digital Assistants），デジタルスチルカメラ，テレビ，ビデオカメラ，カーナビゲーション装置，車載用の表示器（インパネ），電子手帳，電子ペーパー，電卓，ワードプロセッサ，ワークステーション，テレビ電話，ＰＯＳ端末，プリンター，スキャナー，複写機，ビデオプレーヤー，タッチパネルを備えた機器等などが挙げられる。
【符号の説明】
【００７２】
１００……立体視表示装置、１０……電気光学装置、１２……電気光学パネル、１４……制御回路、１４２……表示制御回路、１４４……眼鏡制御回路、２０……立体視用眼鏡、２２……右眼用シャッター、２４……左眼用シャッター、３０……画素部、ＰIX……画素、ＣL……液晶素子、ＳW……選択スイッチ、３２……走査線、３４……信号線、４０……駆動回路、４２……走査線駆動回路、４４……信号線駆動回路、５０……処理回路、５２……第１処理部、５２２（５２２[1]〜５２２[4]），５２４（５２４[1]〜５２４[4]）……記憶部、５２６……画像処理部、５４……第２処理部。
【図１】
0005799709.tif 000002
【図２】
0005799709.tif 000003
【図３】
0005799709.tif 000004
【図４】
0005799709.tif 000005
【図５】
0005799709.tif 000006
【図６】
0005799709.tif 000007
【図７】
0005799709.tif 000008
【図８】
0005799709.tif 000009
【図９】
0005799709.tif 000010
【図１０】
0005799709.tif 000011
【図１１】
0005799709.tif 000012
【図１２】
0005799709.tif 000013
【図１３】
0005799709.tif 000014
【図１４】
0005799709.tif 000015
【図１５】
0005799709.tif 000016
【図１６】
0005799709.tif 000017
【図１７】
0005799709.tif 000018
【図１８】
0005799709.tif 000019